(57)【要約】      （修正有）【課題】バッテリーパックや電池、センサー類等の電気機器を充電する充電器において、多数の電気機器を一括して充電でき、なおかつ携帯性を向上させる充電器を提供する。【解決手段】複数のセンサー２ａ〜ｅを同時に充電する充電器１であって、立方体の一面に開口部を有する本体部１０と、開口部から本体部１０の内部に連通する空間である収納部１１と、本体部１０の表面を構成する６面のうち５面のそれぞれに各センサー２ａ〜ｅが着脱自在に係合されて装填される複数の凹部１０ａ〜ｄと、凹部１０ａ〜ｄに装填されたセンサー２ａ〜ｅに対して電磁的に接続され各センサー２ａ〜ｅに充電用の電力を供給する電力供給部とを備える。【選択図】図１
0003203079.tif 000002
【実用新案登録請求の範囲】
【請求項１】
複数の電気機器を同時に充電する充電器であって、
多面体の一部に開口部を有する本体部と、
前記開口部から前記本体部の内部に連通する空間である収納部と、
前記本体部の表面を構成する多面の少なくとも２以上の面にそれぞれ設けられ、前記各電気機器が着脱自在に係合されて装填される複数の係合部と、
前記係合部に装填された前記電気機器に対して電磁的に接続され、各電気機器に充電用の電力を供給する電力供給部と
を備えることを特徴とする充電器。
【請求項２】
前記電力供給部に通電する電源ケーブルが、前記収納部の内壁面から前記電力供給部に接続可能となっていることを特徴とする請求項１に記載の充電器。
【請求項３】
前記本体部は６面体であり、
前記開口部は前記６面体の一面に形成されており、
前記係合部は、前記６面体の他の５面のいずれか又は全部に形成されている
ことを特徴とする請求項１又は２に記載の充電器。
【請求項４】
前記電気機器の、前記係合部に係合する部位に着脱自在に取り付けられるクリップをさらに備え、
前記クリップは、前記電気機器に取り付けられた状態において、他の部位に取り付けるための把持部を有し、
前記把持部には、係合部に係合された電気機器を固定する固定部が連設され、
前記固定部は、前記把持部が他の部位を把持する反力により、前記電気機器を固定するように押圧する
ことを特徴とする請求項１乃至３のいずれかに記載の充電器。
【請求項５】
前記クリップには、他の部位に取り付けるための緊結部材を係止するための係止部が設けられていることを特徴とする請求項４に記載の充電器。
【考案の詳細な説明】
【技術分野】
【０００１】
本考案は、バッテリーパックや電池、センサー類等の電気機器を充電する充電器に関する。
【背景技術】
【０００２】
従来、スマートフォンやデジタルカメラ等の電子機器に装着されるバッテリーパックや充電用電池を充電する充電器が種々開発されており、複数のバッテリーパックを充電するものとしては、特許文献１に開示されたものがある。また、近年では、加速度センサーなどの複数のセンサー機器を装着者の身体に装着して、身体の動きをキャプチャーするいわゆるモーションキャプチャー技術が普及しつつある。このモーションキャプチャー技術では、無線通信によりセンサー機器と、スマートフォン等の情報処理端末とを接続し、無線通信を介してセンサー類が検出した各種データを情報処理端末に集積して解析を行う。動作のキャプチャーは身体の各部分の動作を検出する必要があることから、センサー機器の数が多ければ多いほど正確な解析を行うことができる。
【先行技術文献】
【特許文献】
【０００３】
【特許文献１】特開平６−３１１６６１号公報
【考案の概要】
【考案が解決しようとする課題】
【０００４】
ところで、上述したようなセンサー機器は、無線通信により除法処理とは分離されて動作するものであることから、各センサー機器は個々にバッテリーや電池を有しており、それぞれ充電する必要があり、同時使用されるものであるため、一括して同時に充電されることが望ましい。また、スマートフォン等の電子機器や、バッテリー、上記センサー機器は、携帯されて持ち運ばれるものであることから、これらを充電する充電器も携帯性が要求される。
【０００５】
そこで、本考案は、上記のような要請に応えるものであり、バッテリーパックや電池、センサー類等の電気機器を充電する充電器において、多数の電気機器を一括して充電でき、なおかつ携帯性を向上させることのできるシステムを提供することを課題とする。
【課題を解決するための手段】
【０００６】
上記課題を解決するために、本考案は、複数の電気機器を同時に充電する充電器であって、多面体の一部に開口部を有する本体部と、前記開口部から前記本体部の内部に連通する空間である収納部と、前記本体部の表面を構成する多面の少なくとも２以上の面にそれぞれ設けられ、前記各電気機器が着脱自在に係合されて装填される複数の係合部と、前記係合部に装填された前記電気機器に対して電磁的に接続され、各電気機器に充電用の電力を供給する電力供給部とを備えることを特徴とする。
【０００７】
このような本考案の充電器によれば、収納部を取り囲む本体部表面の多面に設けられた係合部にバッテリーやセンサー類等の電気機器を装填することで、電力供給部から充電を行うことができる。この本体部の形状としては、例えば６面を有する立方体その他の多面体とすることができ、多面の２以上を用いて電気機器を装填できることから、充電器のコンパクト化を図り携帯性を高めつつ、多数の電気機器の充電を行うことができる。
【０００８】
上記考案では、前記電力供給部に通電する電源ケーブルを、前記収納部の内壁面から前記電力供給部に接続可能とすることができる。この場合には、収納部の内壁面に電源ケーブルを接続することにより、電源コンセントや電源アダプター等の外部機器から電力の供給を受けて、装填された電気機器の充電を行うことができ、また、携帯時には電源ケーブルは収納部内に収納して持ち運べるため、携帯性をより高めることができる。
【０００９】
上記考案において前記本体部は６面体であり、前記開口部は前記６面体の一面に形成されており、前記係合部は、前記６面体の他の５面のいずれか又は全部に形成されている
ことが好ましい。この場合には、最大５個の電気機器を装填することができ、携帯性を高めつつ、モーションキャプチャーに必要な個数の電気機器を同時に充電することができる。
【００１０】
上記考案では、前記電気機器の、前記係合部に係合する部位に着脱自在に取り付けられるクリップをさらに備え、前記クリップは、前記電気機器に取り付けられた状態において、他の部位に取り付けるための把持部を有し、前記把持部には、係合部に係合された電気機器を固定する固定部が連設され、前記固定部は、前記把持部が他の部位を把持する反力により、前記電気機器を固定するように押圧することが好ましい。この場合には、充電器の係合部と同様の形式の係合部を有するクリップを用いることで、把持部によりセンサー類を身体に取り付けることができるため、センサー類を装着するための機構をセンサー類に別途設ける必要がなく、センサー類の構成を簡素化でき、部品点数を減らすことで全体のコンパクト化を図ることができる。
【００１１】
上記考案において前記クリップには、他の部位に取り付けるための緊結部材を係止するための係止部を設けることができる。この場合には、センサー類を装着する方式の多様化を図ることができ、本考案の利用範囲を拡大させることができる。
【考案の効果】
【００１２】
以上述べたように、本考案によれば、バッテリーパックや電池、センサー類等の電気機器を充電する充電器において、多数の電気機器を一括して充電でき、なおかつ携帯性を向上させることができる。また、簡易的なクリップを用いることで、センサー類を身体に簡単に取り付けることができ、センサー類の構成を簡素化でき、部品点数を減らすことで全体のコンパクト化を図ることができる。
【図面の簡単な説明】
【００１３】
【図１】実施形態に係る充電器にセンサーを装填した状態の全体構成を示す斜視図である。
【図２】実施形態に係る充電器からセンサーを分離させた状態の全体構成を示す斜視図である。
【図３】実施形態に係る充電器において、電源ケーブルを接続する際の動作を示す斜視図である。
【図４】実施形態に係る充電器にセンサーを装填する際の動作を示す斜視図である。
【図５】実施形態に係るセンサーを取り付けるためのクリップの全体構成を示す斜視図である。
【図６】実施形態に係るセンサーをクリップに取り付ける動作を示す斜視図である。
【図７】実施形態に係るクリップを他の部位に取り付ける際の動作を示す斜視図である。
【図８】実施形態に係るクリップを、紐部材を用いて他の部位に取り付ける際の動作を示す斜視図である。
【考案を実施するための形態】
【００１４】
以下に添付図面を参照して、本考案に係るシステムの実施形態を詳細に説明する。図１は、本実施形態に係る装置の全体構成を示す斜視図であり、図２は、実施形態に係る充電器からセンサーを分離させた状態を示す斜視図である。
【００１５】
（充電器の構成）
図１に示すように、本実施形態に係る充電器１は、センサー類やバッテリー、電池等の電気機器を同時に充電する充電器である。
【００１６】
具体的に、充電器１は、多面体の一部に開口部を有する本体部１０と、開口部から本体部１０の内部に連通する空間である収納部１１と、本体部１０の表面を構成する多面の少なくとも２以上の面にそれぞれ設けられて各センサー２ａ〜ｅが着脱自在に係合されて装填される複数の凹部１０ａ〜ｅと、凹部１０ａ〜ｅに装填されたセンサー２ａ〜ｅに対して電磁的に接続され各電気機器に充電用の電力を供給する電力供給部１３ａ〜ｅとを備える。
【００１７】
本体部１０は、本実施形態では６面を有する略立方体状をなし、この６面のうち５面にはセンサー２ａ〜ｅの外形と合致する凹部１０ａ〜ｅがそれぞれ形成されており、この凹部１０ａ〜ｅに各センサー２ａ〜ｅがそれぞれ嵌め込まれて装着されるようになっている。センサー２ａ〜ｅは、それぞれの凹部１０ａ〜ｅで着脱自在に装填されて、電力供給部１３ａ〜ｅで電気的に接続され充電可能となる。
【００１８】
本体部１０の各凹部１０ａ〜ｅには、凹部底面から外方に向けて突出した凸部１２ａ〜ｅと、センサー２ａ〜ｅそれぞれの側部に設けられた溝部２２ａ〜ｅが嵌合されるように突出されたフランジ部１４ａ〜ｅとが設けられている。凸部１２ａ〜ｅは、凹部１０ａ〜ｅと一体形成されており、プラスチック等の合成樹脂の弾性力によって、凹部１０ａ〜ｅの底面から垂直方向（法線方向）に向けて押圧するように付勢されている。
【００１９】
そして、図４に例示するように、センサー２ａ〜ｅの装填時には、溝部２２ｅにフランジ部１４ｅが差し込まれるように、図中矢印の方向にセンサー２ｅを凹部１０ｅ内へ滑り込ませるようにして嵌め込み、嵌合させる。このセンサー２ａ〜ｅが凹部１０ａ〜ｅに対して嵌合された状態では、凸部１２ａ〜ｅが、凹部１０ａ〜ｅの底面から垂直方向（法線方向）に向けて押圧するように付勢されているため、この押圧力によりセンサー２ａ〜ｅを外方に向けて押し出すように力を付加することとなり、フランジ部１４ａ〜ｅと溝部２２ａ〜ｅとが強固に係合されて固定される。この状態では、各センサー２ａ〜ｅの電極２１ａ〜ｅが、凹部１０ａ〜ｅ表面に設けられた電力供給部１３ａ〜ｅに接触され、電気的に接続されて充電可能となる。なお、センサー２ａ〜ｅを取り外すときは、フランジ部１４ａ〜ｅに平行な方向へセンサー２ａ〜ｅをずらしてやることにより、フランジ部１４ａ〜ｅから溝部２２ａ〜ｅを外すことができる。
【００２０】
また、立方体状の６面のうち残りの１面には、開口部か形成され、この開口部が内部の収納部１１に連通することによって凹部が形成されている。この収納部１１としての凹部内面には、図３に示すように、電源ケーブル３が接続される端子１１ａが配置され、電源ケーブル３が、収納部の内壁面にある端子１１ａを通じて、各電力供給部１３ａ〜ｅに電気的に接続されるようになっている。なお、この収納部１１には電源ケーブル３やその他の備品類が収納可能となっている。
【００２１】
（クリップの構成）
次いで、上記センサー２ａ〜ｅを装着者が身体に装着するために用いられるクリップ４について説明する。図５（ａ）及び（ｂ）は、本実施形態に係るセンサー２ａ〜ｅを取り付けるためのクリップ４の全体構成を示す斜視図及び断面図であり、図６は、センサー２ａ〜ｅをクリップ４に取り付ける動作を示す斜視図である。
【００２２】
上記各センサー２ａ〜ｅは、クリップ４に取り付けることによって、クリップ４を介して装着者の衣服や靴などに簡単に取り付けることができる。具体的にクリップ４は、センサー２ａ〜ｅの溝部２２ａ〜ｅに着脱自在に取り付けられる器具であり、センサー２ａ〜ｅが取り付けられた状態において、装着者の衣服などに取り付けるための把持部材４２を有する。この把持部材４２は、矩形状をなす本体フレーム４０の底面側に突出された舌状の部材であり、本体フレーム４０に形成された凹部４１の一部をなす連結部４０ａを介して一体形成されている。そして、この把持部材４２は、連結部４０ａの弾性力により本体フレーム４０の底面と平行な状態が保持され、図７に示すように、本体フレーム４０底面と把持部材４２とにより、衣類の縁部のような、他の部位５を挟み込んで把持できるようになっている。
【００２３】
また、この本体フレーム４０の後端部分には、凹部４１内に嵌め込まれたセンサー２ａ〜ｅを固定するストッパー４３が形成されている。このストッパー４３は、凹部４１に嵌め込まれて係合されたセンサー２ａ〜ｅを固定する固定部であり、把持部材４２と連設され、把持部材４２が他の部位を把持する反力により、センサー２ａ〜ｅを押圧して固定するようになっている。詳述すると、ストッパー４３は、把持部材４２の後端部分に一体的に形成され、本体フレーム４０の凹部４１に形成された連結部４０ａを介して、本体フレーム４０に接続されており、連結部４０ａの弾性力に逆らって把持部材４２が本体フレーム４０から離れるように押し下げられると、ストッパー４３が上昇し、ストッパー４３を押し下げると、把持部材４２が把持するようになっている。そして、凹部４１には、センサー２ａ〜ｅそれぞれの側部に設けられた溝部２２ａ〜ｅが嵌合されるように突出されたフランジ部４１ａが設けられている。そして、図６に例示するように、センサー２ａ〜ｅをクリップに取り付ける際には、溝部２２にフランジ部４１が差し込まれるように、図中矢印の方向にセンサー２を凹部４１内へ滑り込ませるようにして嵌め込み、嵌合させる。
【００２４】
このセンサー２ａ〜ｅが凹部４１に対して嵌合された状態では、ストッパー４３が、センサー２ａ〜ｅの後端部を前方に向けて押圧するように付勢されるため、フランジ部４１ａと溝部２２とが強固に係合されて固定される。このセンサー２ａ〜ｅを凹部４１に嵌合した状態で、把持部４２と、本体フレーム４０底面とにより、衣類の縁部のような他の部位５を挟み込むと、連結部４０ａの弾性力に逆らって把持部材４２が本体フレーム４０から離れるように押し下げられることとなり、ストッパー４３が上昇してより強固にセンサー２ａ〜ｅが固定されることとなる。なお、センサー２ａ〜ｅをクリップ４から取り外す際には把持部４２と本体フレーム４０底面とによって把持していた他の部位５からクリップ４を取り外すことにより、ストッパー４３による係合力が弱まり、ストッパー４３が押し下げやすくなり、ストッパー４３を押し下げてやることにより、フランジ部４１ａから溝部２２を外すことができ、センサー２ａ〜ｅがクリップ４から容易に取り外せるようになる。
【００２５】
さらに、クリップ４には、例えば、スポーツシューズの靴紐などの部位に取り付けるため、靴紐等の緊結部材を係止するための係止部が設けられている。図８は、本実施形態に係るクリップ４を他の部位に取り付ける際の動作を示す斜視図である。
【００２６】
具体的には、図５に示すように、把持部材４２には、両側端部に切込４２ａ，４２ｂが形成されており、図８に示すように、本体フレーム４０の下面と、把持部材４２との間に挿通された靴紐５１等の緊結部材を引っ掛けることにより、このクリップ４をスポーツシューズの上面、すなわち装着者の足の甲上部にクリップ４を固定することができる。これによりこのスポーツシューズ上面に固定されたクリップ４に、センサー２ａ〜ｅを取り付けることにより、容易にセンサー２ａ〜ｅを装着者の身体に装着させることができ、また、ストッパー４３を押し下げることでセンサー２ａ〜ｅをクリップ４から簡単に取り外すことができる。なお、本体フレーム４０の前端部には紐やストラップが取り付け可能な係止孔４０ｂが形成されており、この係止孔４０ｂを利用して他の緊結部材を係止するようにしてもよい。
【００２７】
（作用効果）
以上説明した本実施形態に係る充電器１によれば、収納部１１を取り囲む本体部１０表面の多面に設けられた凹部１０ａ〜ｅにバッテリーやセンサー類等の電気機器を装填することで、電力供給部１３ａ〜ｅから充電を行うことができる。この本体部１０の形状としては、本実施形態では、６面を有する立方体としており、６面のうち５面を用いてセンサー２ａ〜ｅを装填できることから、充電器１のコンパクト化を図り携帯性を高めつつ、多数のセンサー２ａ〜ｅの充電を同時に一括して行うことができる。
【００２８】
また、本実施形態では、電源ケーブル３を、収納部１１の内壁面に接続することにより、電源コンセントや電源アダプター等の外部機器から電力の供給を受けて、装填されたセンサー２ａ〜ｅの充電を行うことができ、また、携帯時には電源ケーブル３を収納部１１内に収納して持ち運べるため、携帯性をより高めることができる。
【００２９】
さらに、本実施形態では、充電器１の凹部１０ａ〜ｅと同様の形式の溝部２２を有するクリップ４を用いることで、把持部材４２によりセンサー２ａ〜ｅを身体に取り付けることができ、センサー２ａ〜ｅを装着するための機構をセンサー類に別途設ける必要がなく、センサー類の構成を簡素化でき、部品点数を減らすことで全体のコンパクト化を図ることができる。また、靴紐５１などの緊結具を挿通できる切込４２ａ，４２ｂを形成しているため、種々の緊結具を用いてセンサー２ａ〜ｅを装着することができ、用途の多様化を図ることができ、本考案の利用範囲を拡大させることができる。
【符号の説明】
【００３０】
１…充電器
２（２ａ〜ｅ）…センサー
３…電源ケーブル
４…クリップ
５…衣類等の端部
１０…本体部
１０ａ〜ｅ…凹部
１１…収納部
１１ａ…端子
１２ａ〜ｅ…凸部
１３ａ〜ｅ…電力供給部
１４ａ〜ｅ…フランジ部
２１ａ〜ｅ…電極
２２（２２ａ〜ｅ）…溝部
４０…本体フレーム
４０ａ…連結部
４０ｂ…係止孔
４１…凹部
４１ａ…フランジ部
４２…把持部材
４２ａ，４２ｂ…切込
４３…ストッパー
５１…靴紐
【図１】
0003203079.tif 000003
【図２】
0003203079.tif 000004
【図３】
0003203079.tif 000005
【図４】
0003203079.tif 000006
【図５】
0003203079.tif 000007
【図６】
0003203079.tif 000008
【図７】
0003203079.tif 000009
【図８】
0003203079.tif 000010